(57)【特許請求の範囲】
【請求項１】
切刃（１０）と受刃（２０）とが握り（３０，４０）の把持により支点（６０）周りに回動可能とされた枝切り鋏において、前記受刃（２０）に、複数個の上刃（２１）と、前記上刃（２１）と前記上刃（２１）の間に溝刃（２２）を設け、前記上刃（２１）と前記溝刃（２２）とを、刃先が回動方向に対して前記握り（３０，４０）側を向くように、且つ前記切刃（１０）の内刃面（１１）に対し接するように形成し、更に、前記溝刃（２２）の刃底が前記内刃面（１１）となす傾斜角度を、前記上刃（２１）の刃先が前記内刃面（１１）となす傾斜角度よりも小さくなるように形成し、前記上刃（２１）と前記溝刃（２２）と前記切刃（１０）とにより、枝木が滑動することなく把持されると共に、前記受刃（２０）の刃先（２１（１））方向に滑動して引き切り切断ができるようにしたことを特徴とする枝切り鋏。
【発明の詳細な説明】
【技術分野】
【０００１】
本発明は、枝木を把持して切断する枝切り鋏に関するものである。
【背景技術】
【０００２】
従来、実開平４−７４９３３号公報に示される枝切り鋏があったが、前記公報の図２に示すように、この鋏は、その湾曲凹刃板５の凹縁に板状のノコギリ刃状の凹凸８を形成し、この凹凸８により枝木を滑動させないように把持して、湾曲凸刃板２で切断するようにしていたが、外径２センチメートル程度の枝木しか切断することができず、外径２センチメートル以上の枝木を把持した場合、切断が困難であり、別のノコギリで切断していた。
そこで、本発明者は、切刃と、枝木を把持する受刃に上刃と溝刃を形成することにより、枝木を把持すると共に、切刃と受刃の両刃でいわゆるスライド切りして太い枝木でも切断することができる枝切り鋏を開発した。
【特許文献１】実開平４−７４９３３号公報
【発明の開示】
【発明が解決しようとする課題】
【０００３】
本発明は、切刃と、受刃により、太い枝木でも滑らないように把持すると共に、切刃と受刃の両刃により太い枝木でも容易に切断することができる枝切り鋏を提供するものである。
【課題を解決するための手段】
【０００４】
本発明枝切り鋏は、上記課題を達成するため、図１乃至図５に示すように、切刃（１０）と受刃（２０）からなる枝切り鋏において、前記受刃（２０）に、複数個の上刃（２１）と、前記上刃（２１）と前記上刃（２１）の間に溝刃（２２）を設け、前記上刃（２１）と前記溝刃（２２）とを前記切刃（１０）の内刃面（１１）に対し接するように形成し、前記上刃（２１）と前記溝刃（２２）と前記切刃（１０）とにより、枝木が滑動することなく把持されると共に、前記受刃（２０）の刃先（２１（１））方向に滑動して引き切り切断ができるようにしたものである。
また、本発明枝切り鋏は、上記課題を達成するため、図６乃至図１０に示すように、切刃（１０Ｂ）と受刃（２０Ｂ）からなる枝切り鋏において、前記受刃（２０Ｂ）に、複数個の上刃（２１Ｂ）と、前記上刃（２１Ｂ）と前記上刃（２１Ｂ）の間に溝刃（２２Ｂ）を設け、前記上刃（２１Ｂ）と前記溝刃（２２Ｂ）とを前記切刃（１０Ｂ）の内刃面（１１Ｂ）に対し接するように形成し、前記上刃（２１Ｂ）と前記溝刃（２２Ｂ）と前記切刃（１０Ｂ）とにより、枝木が滑動することなく把持されると共に、前記受刃（２０Ｂ）の刃先（２１（１）Ｂ）の反対方向に滑動して押し切り切断ができるようにしたものである。
本発明において、切刃１０又は１０Ｂは、通常、刃先が凸形に形成されているが、刃先が凸形でない場合も含まれ、また、高所枝切り鋏のように切刃１０又は１０Ｂの先端に枝掛けのフックを形成した鋏なども含まれる。
受刃２０又は２０Ｂは、通常、受台２０１又は２０１Ｂが凹形に形成されているが、受台２０１又は２０１Ｂが凹形でない場合も含まれる。
受刃２０又は２０Ｂには、上刃２１（２１（１）及び２１（２）も含まれる。）又は２１Ｂ（２１Ｂ（１）及び２１Ｂ（２）も含まれる。）と溝刃２２又は２２Ｂとを備えているが、いずれも切刃１０又は１０Ｂの内刃面１１又は１１Ｂに接して切断作用ができるようになっている。また、上刃２１同士又は上刃２１Ｂ同士、上刃２１又は２１Ｂと溝刃２２又は２２Ｂ、又は上刃２１又は２１Ｂと溝刃２２又は２２Ｂと上刃２１又は２１Ｂとで枝木を把持する把持作用ができるようになっている。
さらに、上刃２１又は２１Ｂ及び溝刃２２又は２２Ｂは、切刃１０又は１０Ｂの内刃面に対し接するように形成されると共に、上刃２１と溝刃２２により引き切り、又は、上刃２１Ｂと溝刃２２Ｂより押し切りができるように形成されており、また、いずれの場合も枝木切断の際の切断残滓の排除を容易にできるように形成されている。
【発明の効果】
【０００５】
本発明によれば、従来の同種の鋏に比較して、太い枝木でも把持して、軽い力で容易に切断できることとなった。また、受刃と切刃に枝木にスライドによる引き切り又は押し切りができるようになると共に、切断の際の切断残滓の排除が容易になった。
【発明を実施するための最良の形態】
【０００６】
本発明の枝切り鋏の最良の形態が実施例１及び実施例２に示されている。
【実施例１】
【０００７】
本発明の実施例１が図１乃至図５に示されている。
本発明の枝切り鋏は、凸刃状の切刃１０と、上刃２１と溝刃２２とからなる凹刃状の受刃２０と、握り３０及び４０と、戻りバネ５０とを備えている。
切刃１０は、図４及び図５のＡ−Ａ断面及びＢ−Ｂ断面に示すように、断面が鋭利な三角形状で、切刃面１１が形成されると共に、受刃２０の上刃２１及び溝刃２２に接している。
受刃２０は、切刃１０の内刃面１１に接する上刃２１と溝刃２とが交互に図１乃至図３に示すように、切刃１０の切刃面１１に対しいづれも接している。
従って、使用する時は、握り３０及び４０を握って枝木を把持し、手前へ引くようにしながら握りしめれば、枝木が滑動することなく、切刃１０と上刃２１と溝刃２２とからなる受刃２０の両刃により枝木を受刃２０の刃先２１（１）方向に滑動して引き切りによる切断することができる。
【実施例２】
【０００８】
本発明の実施例２が図６乃至図１０に示されている。
本発明の枝切り鋏は、凸刃状の切刃１０Ｂと、凹刃状の受刃２０Ｂと、握り３０Ｂ及び４０Ｂと、戻りバネ５０Ｂとを備えている。
切刃１０Ｂは、実施例１の切刃１０と同一であるので詳細説明は省略する。
受刃２０Ｂは、図９及び図１０のＣ−Ｃ断面及びＤ−Ｄ断面に示すように、切刃１０Ｂの内刃面１１Ｂに接する上刃２１Ｂと溝刃２２Ｂとが交互に図６乃至図８に示すように、鋸歯状に切刃１０Ｂの切刃面１１Ｂに対し、いづれも接している。
従って、使用するときは、握り３０Ｂ及び４０Ｂを握って枝木を把持し、前方へ押すようにしながら握りしめれば、枝木が滑動することなく、切刃１０Ｂと上刃２１Ｂと溝刃２２Ｂとからなる受刃２０Ｂの両刃により枝木を受刃２０Ｂの刃先２１（１）Ｂの反対方向に滑動して押し切りによる切断することができる。
【産業上の利用可能性】
【０００９】
本発明は、片手握りの枝切り鋏のほか、高所用の枝切り鋏や両手握りの枝打ち鋏等にも使用することができ、広い範囲で利用することができる。
【図面の簡単な説明】
【００１０】
【図１】本発明実施例１の鋏開きのときの正面図である。
【図２】図１の鋏閉じのときの正面図である。
【図３】図２の一部拡大正面図である。
【図４】図３のＡ−Ａ線断面図である。
【図５】図３のＢ−Ｂ線断面図である。
【図６】本発明実施例２の鋏開きのときの正面図である。
【図７】図６の鋏閉じのときの正面図である。
【図８】図７の一部拡大正面図である。
【図９】図８のＣ−Ｃ線断面図である。
【図１０】図８のＤ−Ｄ線断面図である。
【符号の説明】
【００１１】
１０、１０Ｂ    切刃
１１、１１Ｂ    内刃面
２０、２０Ｂ    受刃
２１、２１(１)、２１(２)、２１Ｂ、２１Ｂ(１)、２１Ｂ(２)    上刃
２２、２２Ｂ    溝刃
３０、３０Ｂ、４０、４０Ｂ    握り
５０、５０Ｂ    戻りバネ
６０、６０Ｂ    支点
【図１】
0004775927.tif 000002
【図２】
0004775927.tif 000003
【図３】
0004775927.tif 000004
【図４】
0004775927.tif 000005
【図５】
0004775927.tif 000006
【図６】
0004775927.tif 000007
【図７】
0004775927.tif 000008
【図８】
0004775927.tif 000009
【図９】
0004775927.tif 000010
【図１０】
0004775927.tif 000011